(57)【要約】【課題】様々な形状を容易に採ることのできるパネル装置を提供すること。【解決手段】テーブルの天板における任意の位置に支持される遮蔽用のパネル装置１０であって、少なくとも、長手方向に所定長さを有し天板に支持されるベース部材１３、１４、１７と、ベース部材１３、１４、１７の長手方向の両端側から夫々上方に延びて互いに連続し、略円弧状に形成されるとともに、径方向に弾性を有したフレーム部材１５と、上縁が任意の曲線形状を成すとともに、下縁に開口を有する袋状表皮部材１６と、を備え、フレーム部材１５を、袋状表皮部材１６に、その上縁の形状に合わせて変形させた状態で収容可能とした。【選択図】図４
2008142395.tif 000002
【特許請求の範囲】
【請求項１】
テーブルの天板における任意の位置に支持される遮蔽用のパネル装置であって、
少なくとも、長手方向に所定長さを有し前記天板に支持されるベース部材と、
該ベース部材の長手方向の両端側から夫々上方に延びて互いに連続し、略円弧状に形成されるとともに、径方向に弾性を有したフレーム部材と、
上縁が任意の曲線形状を成すとともに、下縁に開口を有する袋状表皮部材と、を備え、
前記フレーム部材を、前記袋状表皮部材に、その上縁の形状に合わせて変形させた状態で収容可能としたことを特徴とするパネル装置。
【請求項２】
前記ベース部材の長手方向の両端部から、略Ｌ字状を成す金具を夫々立設し、該金具の上向き片と、前記フレーム部材とを一体に形成したことを特徴とする請求項１に記載のパネル装置。
【請求項３】
前記ベース部材の両端部に長手方向に切欠き部を形成するとともに、該切欠き部に、前記略Ｌ字状を成す金具の水平片を嵌合したことを特徴とする請求項２に記載のパネル装置。
【請求項４】
前記ベース部材の下面の長手方向に下向きに開口した溝部を形成するとともに、該溝部に、前記ベース部材の下面に巻き込んだ前記袋状表皮部材の下縁を介して、上向き略Ｔ字状を成す剥がれ防止部材を嵌合したことを特徴とする請求項１ないし３のいずれかに記載のパネル装置。
【請求項５】
前記ベース部材に、前記天板の縁部に嵌合する爪部を設けたことを特徴とする請求項１ないし４のいずれかに記載のパネル装置。
【発明の詳細な説明】
【技術分野】
【０００１】
本発明は、テーブルの天板における任意の位置に支持される遮蔽用のパネル装置に関する。
【背景技術】
【０００２】
従来の遮蔽用のパネル装置は、天板の縁部に被嵌され、主に天板を幅方向に区画、あるいは遮蔽するために利用されている（例えば、特許文献１参照）。
【０００３】
【特許文献１】特開２００５−２１３９３号公報（第５頁、第３図）
【発明の開示】
【発明が解決しようとする課題】
【０００４】
しかしながら、特許文献１にあっては、天板への支持部よりも上方の部位が、金属製のパイプ材等の比較的硬質のフレーム部材から構成されているので、パネルの形状にバリエーションを持たせたい場合に、フレーム部材と表皮材とを、ともにパネルに適合した形状に成型する必要があった。
【０００５】
本発明は、このような問題点に着目してなされたもので、様々な形状を容易に採ることのできるパネル装置を提供することを目的とする。
【課題を解決するための手段】
【０００６】
上記課題を解決するために、本発明の請求項１に記載のパネル装置は、
テーブルの天板における任意の位置に支持される遮蔽用のパネル装置であって、
少なくとも、長手方向に所定長さを有し前記天板に支持されるベース部材と、
該ベース部材の長手方向の両端側から夫々上方に延びて互いに連続し、略円弧状に形成されるとともに、径方向に弾性を有したフレーム部材と、
上縁が任意の曲線形状を成すとともに、下縁に開口を有する袋状表皮部材と、を備え、
前記フレーム部材を、前記袋状表皮部材に、その上縁の形状に合わせて変形させた状態で収容可能としたことを特徴としている。
この特徴によれば、袋状表皮部材の形状に合わせてフレーム部材を適宜変形させることができるため、様々な形状のパネルを容易に提供できるばかりか、パネル面を主に袋状表皮部材で構成しているため、パネル装置を軽量化できる。また、フレーム部材が径方向に弾性を有しているため、パネルに対する径方向の不測の外力等に対しても、フレーム部材が柔軟に弾性変形して壊れにくい。
【０００７】
本発明の請求項２に記載のパネル装置は、請求項１に記載のパネル装置であって、
前記ベース部材の長手方向の両端部から、略Ｌ字状を成す金具を夫々立設し、該金具の上向き片と、前記フレーム部材とを一体に形成したことを特徴としている。
この特徴によれば、ベース部材の長手方向の両端部から立設した金具と、フレーム部材とを一体に形成したことで、径方向に弾性を有したフレーム部材が、ベース部材に対し固定に取付けることが出来、フレーム部材のベース部材に対する安定度が増す。
【０００８】
本発明の請求項３に記載のパネル装置は、請求項２に記載のパネル装置であって、
前記ベース部材の両端部に長手方向に切欠き部を形成するとともに、該切欠き部に、前記略Ｌ字状を成す金具の水平片を嵌合したことを特徴としている。
この特徴によれば、ベース部材に形成した切り欠き部に、略Ｌ字状を成す金具の水平片を嵌合することで、簡便な構成で、フレーム部材のベース部材に対する安定度を更に増大することが出来る。
【０００９】
本発明の請求項４に記載のパネル装置は、請求項１ないし３のいずれかに記載のパネル装置であって、
前記ベース部材の下面の長手方向に下向きに開口した溝部を形成するとともに、該溝部に、前記ベース部材の下面に巻き込んだ前記袋状表皮部材の下縁を介して、上向き略Ｔ字状を成す剥がれ防止部材を嵌合したことを特徴としている。
この特徴によれば、袋状表皮部材の下縁に形成された開口をベース部材の下面に巻き込んで、剥がれ防止部材を嵌合したことで、袋状表皮部材の下縁がベース部材の下面に沿って遮蔽されるため、外観体裁が損なわれず、袋状表皮部材のベース部材からの剥がれも防止できる。
【００１０】
本発明の請求項５に記載のパネル装置は、請求項１ないし４のいずれかに記載のパネル装置であって、
前記ベース部材に、前記天板の縁部に嵌合する爪部を設けたことを特徴としている。
この特徴によれば、ベース部材に設けた爪部を天板の縁部に嵌合することで、安価且つ簡便な構造で、パネル装置を天板に支持できる。
【発明を実施するための最良の形態】
【００１１】
本発明の実施例を以下に説明する。
【実施例１】
【００１２】
本発明の実施例を図面に基づいて説明すると、先ず図１は、本発明の実施例１におけるパネル装置の全体像を示す斜視図である。図２は、テーブルの側面から見たパネル装置を示す概略図である。図３は、パネル装置の上面図、正面図、側面図及び点線囲い部の拡大図である。図４（ａ）は、パネル装置の構成部材を示す斜視図であり、（ｂ）は（ａ）と同じく端部拡大斜視図である。図５は、本発明の変形例におけるパネル装置の上面図、正面図、側面図である。
【００１３】
図１に示されるように、本実施例のパネルを取付けるテーブル１は、矩形状の天板２と脚部４とから構成され、脚部４（本実施例では４本）は、天板１２の各周辺角部の背面側に、受座（図示略）を介して接続されている。天板２は、長手方向の長寸辺と、この長寸辺より短寸である奥行方向の短寸辺と、からなる略長方形状であって、奥行方向にテーブルを挟んで対面した使用者を仕切る仕切り板６、６が、奥行方向における略中央箇所において、長手方向に亘って天板から立設されている。
【００１４】
また、本実施例のパネル装置１０の概略について説明すると、仕切り板６と略同じ高さを有するパネル装置１０は、テーブル１の前記した長寸辺の略中央位置で奥行き方向に二分するように、天板２及び仕切り板６と略直交に立設している。このパネル装置１０を境にして、テーブル１の長寸辺に向かい隣り合って着席してテーブル１を使用する場合、図２に示されるように、パネル装置１０により、椅子８に着席して隣り合った相手の着席者の目線や手元等が適度に遮蔽されるため、テーブル１の使用者の集中力が散漫することなく、またプライバシーを適度に維持することが出来る。
【００１５】
次に、図３、４に示されるように、パネル装置１０の構成について説明すると、パネル装置１０は、主として、後述するフレーム部材としてのバネ鋼１５と、パネル面を構成する袋状表皮部材としてのクロス１６と、これらを支持するとともに天板２に取付けられるベース部材と、から構成されている。また、パネル面は、テーブル１の使用者から見て手前側の上部が、テーブル１の長寸辺よりも手前上方に向かって比較的大きく張り出す一方、テーブル１奥側の一部が仕切り板６と近接するように比較的小さく張り出し、パネル面全体として、パネル面正面視非対称の曲線形状に形成されている。
【００１６】
次に、図４に示されるように、パネル装置１０の主な構成部材について、詳細に説明すると、薄肉の線状であって長手方向に一定の弾性を有するバネ鋼１５が、後述するクロス１６の周長と略同じ長さで形成されている。そしてバネ鋼１５の両端部には、互いに鈍角で交差する上向き片１８ａと水平片１８ｂとからなる略Ｌ字状を成す金具１８が、その水平片１８ｂを内向きに配置するようにして、上向き片１８ａがバネ鋼１５と一体に溶着されている。
【００１７】
また、パネル面を構成する袋状表皮部材としてのクロス１６は、軽量且つ透光性を有する布製部材であって、パネル面の表面、裏面と、周面とを構成する。クロス１６の周面の上縁は、長手方向の一方が斜め上方に向かって比較的大きく張り出すとともに、他方が長手方向に向かって比較的小さく張り出す形状に形成されている。また、クロス１６の下縁は、ベース鋼１７の長手方向と略同じ長さの開口１６ａを有している。
【００１８】
次に、ベース部材は、鋼材を細長の略直方体形状に成型した金属製からなるベース鋼１７と、後述するようにベース鋼１７の両端部に取付けるベース１３、１４とからなる。ベース鋼１７は、長手方向の両側端面に、水平方向に所定長さの切欠き部１７ａを形成しているとともに、下面に、長手方向に亘って下向きに開口した溝部１７ｂを形成している。また、本実施例のベース鋼１７は、両側端面が上方に向かって互いに離間するテーパ面に形成されている。すなわち、ベース鋼１７の下面と、側端面とは鈍角に成るよう形成されている。ベース１３、１４は、ベース鋼１７の両端部における側面をそれぞれ被嵌するように上面視コ字状に形成されているとともに、天板２の上面と当接する当接面が、両側方に延びており、パネル装置１０全体を安定的に天板２に載置出来るように成っている。尚、ベース鋼１７は、必ずしも金属製に限られず、例えば、木材を成型したものであっても構わない。
【００１９】
次に、図４に示されるように、パネル装置１０の組付けについて説明すると、先ず、バネ鋼１５の両端部に溶着された略Ｌ字状を成す金具１８の水平片１８ｂを、ベース鋼１７の切欠き部１７ａに夫々嵌挿するとともに、留め具２１を切欠き部１７ａの上下方の側面に設けられた小孔１７ｃに嵌挿して装着し、この切欠き部１７ａ、すなわちベース鋼１７の両端部に形成された空隙を補強している。
【００２０】
このように、ベース鋼１７に対し、その両端部から立設した金具１８と、フレーム部材としてのバネ鋼１５を一体に形成したことで、径方向に弾性を有したバネ鋼１５が、ベース鋼１７に対し固定に取付けることが出来、バネ鋼１５のベース部材に対する安定度が増す。
【００２１】
また、このように、ベース鋼１７に形成した切欠き部１７ａに、略Ｌ字状を成す金具１８の水平片１８ｂを嵌合することで、簡便な構成で、バネ鋼１５のベース部材に対する安定度を更に増大することが出来る。
【００２２】
尚、ベース鋼１７には、必ずしも上述した切欠き部１７ａが形成されているに限られず、例えば、略Ｌ字状に形成された金具１８の水平片１８ｂが、ベース鋼１７の上面若しくは下面に沿って取付けられていてもよい。
【００２３】
バネ鋼１５は、上述のように長手方向に一定の弾性を有しているため、両端部がベース部材に取付けられた自然状態においては、弾性と重力により所定の曲率で曲線を描く略線対称の円弧形状に形成されている。
【００２４】
次に、ベース鋼１７に取付けたバネ鋼１５に、クロス１６の開口１６ａを開いて被覆すると、バネ鋼１５は、その形状を前記した自然状態から、上述した形状に形成されたクロス１６の上縁に合わせて変形した変形状態と成って、クロス１６内に収容される。
【００２５】
このようにすることで、クロス１６の形状に合わせてバネ鋼１５を適宜変形させることができるため、様々な形状のパネルを容易に提供できるばかりか、パネル面を主にクロス１６で構成しているため、パネル装置１０を軽量化できる。また、バネ鋼１５が径方向に弾性を有しているため、パネルに対する径方向の不測の外力等に対しても、バネ鋼１５が柔軟に弾性変形して壊れにくい。更に、バネ鋼１５は、人の手などで容易に弾性変形可能であるため、例えば、テーブル１の使用者が、上記のようにクロス１６を被せたパネル装置１の上方から下方に向かって、パネル周面を手などで押圧することで、パネル装置１の背面側を見ることも出来る
【００２６】
また、このように、金具１８が略Ｌ字状を成していることで、バネ鋼１５の両端部をベース部材に対して上方向に延ばすことが出来るため、クロス１６をベース部材側に向けてバネ鋼１５に被せ易い。
【００２７】
そして、ベース鋼１７の両端部及びこれに取付けたバネ鋼１５の両端部を、これらを被覆したクロス１６とともに、上面視略コ字状に開口したベース１３、１４により被嵌し、下方から止めビス２２によりベース１３、１４を固定する。バネ鋼１５の両端部に設けた金具１８の水平片１８ｂには、上下方向に貫通孔が形成されており、止めビス２２は、前記貫通孔を挿通することで、上記したベース１３、１４のみでなく、バネ鋼１５をベース鋼１７に対し固定する。
【００２８】
また、開口したクロス１６の下縁を、表裏面の両面側からベース鋼１７の下面に沿って折込み、ベース鋼１７より若干短寸の上向き略Ｔ字状を成す剥がれ防止部材１９を、このように折込んだクロス１６の下縁とともに、ベース鋼１７の溝部１７ｂに嵌合する。このとき剥がれ防止部材１９の上面に適宜、接着剤等を塗布することで、溝部１７ｂに嵌合した状態を維持できる。
【００２９】
このようにすることで、クロス１６の下縁に形成された開口１６ａをベース鋼１７の下面に巻き込んで、剥がれ防止部材１９を嵌合したことで、クロス１６の下縁がベース鋼１７の下面に沿って遮蔽されるため、外観体裁が損なわれず、クロス１６のベース鋼１７からの剥がれも防止できる。
【００３０】
次に、一方のベース１３下部に形成された側面視コ字状の爪部１３ａを、テーブル１の天板２の縁部に嵌合することで、パネル装置１０をテーブル１に対し支持して取付ける。側面視コ字状の爪部１３ａは、天板２の厚さ寸法よりも若干短寸に形成されているとともに、所定の弾性を有しており、爪部１３ａを拡開しながら天板２の縁部に嵌合した後に、この弾性を利用して、爪部１３ａにより天板２を狭圧することで、パネル装置１０をテーブル１に対し動かない様に支持して取付けている。
【００３１】
このように、ベース部材を構成するベース１３に設けた爪部１３ａを天板２の縁部に嵌合することで、安価且つ簡便な構造で、パネル装置１０を天板に支持できる。
【００３２】
尚、パネル装置１０をテーブル１に支持する構成は、必ずしも上述した爪部に限らず、例えば、ベース部材とテーブル１の天板２とを、止めビス等で接続して支持するものであってもよい。
【００３３】
上述したように、フレーム部材としてのバネ鋼１５は弾性を有しており、袋状表皮部材としてのクロスの形状に合わせて適宜弾性変形が可能である。例えば、本発明の変形例として図５に示されるように、角部が曲線に形成された略長方形状の表面、裏面を有するクロス２６を、バネ鋼１５に被せるとともに、長手方向の両側端面が天板２に対し略垂直に延びるベース鋼２７まで被覆し、ベース２３、２４を嵌合することで、クロス２６と同様の略長方形状のパネル面を構成するパネル装置２０が、天板２に取付けられる。
【００３４】
以上、本発明の実施例を図面により説明してきたが、具体的な構成はこれら実施例に限られるものではなく、本発明の要旨を逸脱しない範囲における変更や追加があっても本発明に含まれる。
【００３５】
例えば、上記実施例では、パネル装置１０を取付ける対象物としてテーブル１が示されているが、本実施例で言うテーブルとは、オフィス等で使用される机等も含んでいる。
【００３６】
また、上記実施例では、フレーム部材としてのバネ鋼１５の両端部に略Ｌ字状の金具１８を一体に接続し、この金具１８を介してフレーム部材をベース部材に取付けているが、フレーム部材のベース部材への取付けは、必ずしも上記金具を介さずに、直接に接続されていてもよい。更に、金具１８の上向き片１８ａを上向きに延長させて、バネ鋼１５をパネルの上部のみに構成させるようにしてもよい。また、フレーム部材は、必ずしもベース部材の両端部から上方に延ばすに限られず、例えば、フレーム部材は、ベース部材の両端部よりも若干内方の所定箇所から上方に延ばしてもよい。
【図面の簡単な説明】
【００３７】
【図１】本発明の実施例１におけるパネル装置の全体像を示す斜視図である。
【図２】テーブルの側面から見たパネル装置を示す概略図である。
【図３】パネル装置の上面図、正面図、側面図及び点線囲い部の拡大図である。
【図４】（ａ）は、パネル装置の構成部材を示す斜視図であり、（ｂ）は（ａ）と同じく端部拡大斜視図である。
【図５】本発明の変形例におけるパネル装置の上面図、正面図、側面図である。
【符号の説明】
【００３８】
１                テーブル
２                天板
４                脚部
６                仕切り板
８                椅子
１０              パネル装置
１３              ベース（ベース部材）
１３ａ            爪部
１４              ベース（ベース部材）
１５              バネ鋼（フレーム部材）
１６              クロス（袋状表皮部材）
１６ａ            開口
１７              ベース鋼（ベース部材）
１７ａ            切欠き部
１７ｂ            溝部
１７ｃ            小孔
１８              金具
１８ａ            上向き片
１８ｂ            水平片
１９              剥がれ防止部材
２０              パネル装置
２１              留め具
２２              止めビス
２３              ベース（ベース部材）
２４              ベース（ベース部材）
２６              クロス（袋状表皮部材）
【図１】
2008142395.tif 000003
【図２】
2008142395.tif 000004
【図３】
2008142395.tif 000005
【図４】
2008142395.tif 000006
【図５】
2008142395.tif 000007